(57)【要約】【課題】台所の天井面付近での汚染空気の滞留を確実に防止することができ、しかも開放的な台所空間とすることができるレンジフードを提供する。【解決手段】このレンジフード１は、台所２の天井部５に直付け又は埋め込んだ薄型フード１２と、台所２に設置したキッチン４から立ち上る汚染空気を捕らえて、薄型フード１２の吸込口２１ａ・・へ導く整流板２５とを備えている。そして、整流板２５は、キッチン４のカウンタートップ６の面積と同等以上の面積を有し、そのカウンタートップ６の上方を覆うように配されている。【選択図】図１
2008096049.tif 000002
【特許請求の範囲】
【請求項１】
台所（２）の天井部（５）に直付け又は埋め込んだ薄型フード（１２）と、前記台所（２）に設置したキッチン（４）から立ち上る汚染空気を捕らえて、前記薄型フード（１２）の吸込口（２１ａ）・・へ導く整流板（２５）とを備え、前記整流板（２５）は、前記キッチン（４）のカウンタートップ（６）の面積と同等以上の面積を有し、そのカウンタートップ（６）の上方を覆うように配されていることを特徴とするレンジフード。
【請求項２】
前記整流板（２５）は、その直下に位置するアイランド型キッチン（４）若しくはペニンシュラ型キッチンのカウンタートップ（６）の面積と同等以上の面積を有していることを特徴とするレンジフード。
【請求項３】
前記整流板（２５）によって、前記台所（２）における天井面の略全体が構成されている請求項１又は２記載のレンジフード。
【発明の詳細な説明】
【技術分野】
【０００１】
この発明は、住宅の台所に設置されるレンジフードに関する。
【背景技術】
【０００２】
一般に、住宅の台所では、キッチンに備え付けた加熱調理器の上方にレンジフードを設けて、調理等において発生する油煙や燃焼ガス等を含む汚染空気を屋外へ排出している。
【０００３】
ところが、加熱調理器の上方にレンジフードを単に設けただけでは、汚染空気が多く発生して拡散したり、汚染空気が加熱調理器付近から立ち上ってレンジフードに到達するまでの間に、例えば調理作業におけるフライパンや中華鍋等の調理具を揺らす行為や、人が横切る行為等によって生じる気流の乱れの影響を受けて拡散するようなことがあると、汚染空気の全部をレンジフードのフード部分で捕集しきれずに、その一部が天井面付近に滞留して天井面の汚れの原因となることがあった。
【０００４】
レンジフードにおける汚染空気の捕集効率を高めるためには、フード部分を加熱調理器に近づければ良いが、レンジフードのフード部分の設置高さは、キッチンのカウンタートップ上面から約８００ｍｍ以上離間した高さとするという消防法に定められた制限があり、どうしてもフード部分で捕集しきれずに漏れる汚染空気が生じることになる。
【０００５】
そこで、例えば特許文献１や特許文献２にも開示されているように、レンジフードのフード部分上方において、フード部分で捕集しきれずに天井面付近に滞留する汚染空気をさらに捕集することができるレンジフードが提案されている。
【０００６】
【特許文献１】特開２００５−９０８７８号公報
【特許文献２】特開２００４−２８４４５号公報
【発明の開示】
【発明が解決しようとする課題】
【０００７】
しかしながら、レンジフードのフード部分で捕集しきれずに天井に達した汚染空気は、天井面に沿って四方八方へ拡がるので、上記のようなレンジフードを用いた場合でも、レンジフードから遠ざかるように拡散してしまった汚染空気については捕集が困難となり、依然として天井面付近に汚染空気が滞留するといった不具合が生じる可能性があった。
【０００８】
特に、近年増加傾向にあるアイランド型キッチンやペニンシュラ型キッチン等のオープンキッチンへの適用に際しては、レンジフード周りが３方開放若しくは４方開放となっていて、汚染空気の拡がりを規制する壁面が近くにないため、汚染空気の捕集効率がさらに悪くなるといった不具合があった。
【０００９】
また、レンジフードのフード部分を台所の天井面から吊り下げるように設けた場合、台所空間の開放感を損なうといった不具合があった。
【００１０】
そこで、この発明は、上記不具合を解決するため、台所の天井面付近での汚染空気の滞留を確実に防止することができ、しかも開放的な台所空間とすることができるレンジフードの提供を目的とする。
【課題を解決するための手段】
【００１１】
上記課題を解決するため、この発明のレンジフード１は、台所２の天井部５に直付け又は埋め込んだ薄型フード１２と、前記台所２に設置したキッチン４から立ち上る汚染空気を捕らえて、前記薄型フード１２の吸込口２１ａ・・へ導く整流板２５とを備え、前記整流板２５は、前記キッチン４のカウンタートップ６の面積と同等以上の面積を有し、そのカウンタートップ６の上方を覆うように配されていることを特徴とする。
【００１２】
具体的に、前記整流板２５は、その直下に位置するアイランド型キッチン４若しくはペニンシュラ型キッチンのカウンタートップ６の面積と同等以上の面積を有している。また、前記整流板２５によって、前記台所２における天井面の略全体が構成されている。
【発明の効果】
【００１３】
この発明のレンジフードによると、台所の天井部に薄型フードを直付け又は埋め込んでいるので、従来のようにフード部分を天井面から吊り下げるものと比べて、台所空間の開放感を高めることができる。しかも、キッチンのカウンタートップよりも面積の大きい整流板によって、カウンタートップの上方を覆っているので、キッチンから立ち上る汚染空気を捕らえる捕集領域を大幅に拡大することができ、これにより汚染空気の捕集効率を高めて、天井面付近における汚染空気の滞留を確実に防止することができる。
【００１４】
さらに、このように汚染空気の捕集効率を高めることで、アイランド型キッチンやペニンシュラ型キッチン等の開放感のあるオープンキッチンに対しても効果的に適用にすることができる。
【００１５】
また、台所における天井面の略全体を整流板によって構成して、汚染空気の最終到達点である天井面の略全体を汚染空気の捕集面とすることで、キッチンから立ち上る汚染空気がどの方向に拡散しても、天井面である整流板によって確実に捕らえて吸込口から薄型フード内に確実に吸引することができ、汚染空気の捕集効率をより一層高めることができる。
【発明を実施するための最良の形態】
【００１６】
以下、この発明の実施形態を図面に基づいて詳細に説明する。この発明の一実施形態に係るレンジフード１は、図１に示すように、台所２の壁面３に接することなく島状に配置したアイランド型キッチン４の直上において、台所２の天井部５に取り付けられている。なお、アイランド型キッチン４は、略方形状のカウンタートップ６を備え、このカウンタートップ６に対して加熱調理器７及びシンク８等が取り付けられている。
【００１７】
このレンジフード１は、ファン１０を収容するファンケース１１と、このファンケース１１の下部に取り付けられた薄型フード１２とを備えている。そして、ファンケース１１は、天井部５の天井板１３を貫通して、天井裏空間１４に配されている。このファンケース１１には、天井裏空間１４に配された排気ダクト１５が接続されている。
【００１８】
薄型フード１２は、略方形状の上面板部２０と、この上面板部２０に対して略平行に配された略方形状の下面板部２１と、これら上面板部２０と下面板部２１の縁端部間を連結する側面板部２２・・とによって平面視略方形状の中空箱形に形成されている。そして、上面板部２０を天井板１３の下面に固定することによって、薄型フード１２が天井部５に直付けされた状態で台所空間に配されている。
【００１９】
この薄型フード１２の下面板部２１には、第１吸込口２１ａ・・が形成され、側面板部２２・・には、第２吸込口２２ａ・・が形成されている。なお、これら第１吸込口２１ａ・・及び第２吸込口２２ａ・・には、図示しないフィルターが着脱自在に取り付けられている。
【００２０】
そして、薄型フード１２の下面板部２１には、アイランド型キッチン４の加熱調理器７付近からの立ち上る油煙や燃焼ガス等を含む汚染空気を捕らえて、第１吸込口２１ａ・・や第２吸込口２２ａ・・へ導く略方形状の整流板２５が取り付けられている。
【００２１】
この整流板２５は、図２に示すように、アイランド型キッチン４のカウンタートップ６の面積と同等以上の面積を有し、そのカウンタートップ６の上方を覆うように略水平に配置されている。なお、整流板２５の面積は、加熱調理器７として電気コンロを使用する場合と比べてガスコンロを使用する場合の方が汚染空気の上昇速度が速くなるため、ガスコンロを使用した場合を想定して設定するようにしている。この整流板２５の下面には、防汚機能及び抗菌機能を有する光触媒等からなる仕上げ材がコーティングされている。
【００２２】
上記構成において、アイランド型キッチン４の加熱調理器７で調理を始めて、加熱調理器７付近からの油煙や燃焼ガス等を含む汚染空気が立ち上ると、カウンタートップ６の上方を覆うレンジフード１の整流板２５に到達する。そして、この整流板２５によって捕らえられた汚染空気は、整流板２５に沿って水平方向に移動して、整流板２５の外側に位置する第１吸込口２１ａ・・から薄型フード１２内に吸引される。このとき、第１吸込口２１ａ・・において吸引しきれずに、薄型フード１２の側方へ汚染空気が漏れてしまっても、その汚染空気は、第１吸込口２１ａ・・よりもさらに外側の第２吸込口２２ａ・・から薄型フード１２内に吸引される。そして、薄型フード１２内に吸引された汚染空気は、排気ダクト１５を介して屋外へ排出される。
【００２３】
このように、アイランド型キッチン４の上方において、台所２の天井部５にレンジフード１の薄型フード１２を直付けしているので、開放的な台所空間とすることができる。しかも、カウンタートップ６よりも面積の大きい整流板２５によって、カウンタートップ６の上方を覆っているので、カウンタートップ６に設けた加熱調理器７付近から立ち上る汚染空気を捕らえる捕集領域を大幅に拡大することができ、これにより汚染空気の捕集効率を高めて、天井面付近における汚染空気の滞留を確実に防止することができる。
【００２４】
図３及び図４は、他の実施形態に係るレンジフードを示している。このレンジフード１では、その薄型フード１２が台所２の天井部５を覆い隠すように配されて、整流板２５の面積が台所２の天井面積(床面積)と略等しくなっており、この整流板２５によって台所２の天井面の略全体が構成されている。すなわち、汚染空気の最終到達点である天井面の略全体が、汚染空気の捕集面となっている。なお、この実施形態に係るレンジフード１は、台所空間の構築に際して、天井板１３の代わりとして現場施工しても良い。その他の構成は、薄型フード１２において第２吸込口２２ａ・・が形成されていないことを除いては、図１及び図２に示す実施形態のものと同様である。
【００２５】
これにより、加熱調理器７付近から立ち上る汚染空気がどの方向に拡散しても、天井面である整流板２５によって確実に捕らえて、第１吸込口２１ａ・・から薄型フード１２内に確実に吸引することができ、汚染空気の捕集効率をより一層高めることができる。
【００２６】
図５は、別の実施形態に係るレンジフードを示している。このレンジフード１は、その薄型フード１２が台所２の天井部５に埋め込まれた状態で天井裏空間１４に配されていて、整流板２５が天井板１３に対してほぼ面一に配置されている。この場合、台所空間の開放感をより一層高めることができる。なお、その他の構成は、薄型フード１２において第２吸込口２２ａ・・が形成されていないことを除いては、図１及び図２に示す実施形態のものと同様である。
【００２７】
図６は、さらに別の実施形態に係るレンジフードを示している。このレンジフード１では、台所２の天井部５に埋め込まれた薄型フード１２が、天井板の代わりに台所２の上方を覆い隠すように配されて、整流板２５の面積が台所２の天井面積(床面積)と略等しくなっており、この整流板２５によって台所２の天井面の略全体が構成されている。すなわち、汚染空気の最終到達点である天井面の略全体が、汚染空気の捕集面となっている。この場合、台所空間の開放感をより一層高めることができ、しかも汚染空気の捕集効率をより一層高めることができる。なお、その他の構成は、図５に示す実施形態のものと同様である。
【００２８】
この発明は、上記実施形態に限定されるものではなく、この発明の範囲内で上記実施形態に多くの修正及び変更を加え得ることは勿論である。例えば、この発明のレンジフードは、アイランド型キッチンに対応して設けるだけでなく、ペニンシュラ型キッチン等の他のオープンキッチンに対応して設けたり、さらにはＩ型やＬ型のような一般なキッチンに対応して設けても良い。
【００２９】
また、上記実施形態においては、整流板を薄型フードの下面板部に取り付けていたが、下面板部自体を整流板として機能させるようにしても良い。さらに、薄型フードに照明器具を取り付けて、吊戸のないオープンキッチンにおける流し元灯として利用しても良い。
【図面の簡単な説明】
【００３０】
【図１】この発明の一実施形態に係るレンジフードを示す縦断面図である。
【図２】同じくその台所空間における配置を示す図である。
【図３】他の実施形態に係るレンジフードを示す縦断面図である。
【図４】同じくその台所空間における配置を示す図である。
【図５】別の実施形態に係るレンジフードを示す縦断面図である。
【図６】さらに別の実施形態に係るレンジフードを示す縦断面図である。
【符号の説明】
【００３１】
１・・レンジフード、２・・台所、４・・アイランド型キッチン、５・・天井部、６・・カウンタートップ、１２・・薄型フード、２１ａ・・吸込口、２５・・整流板
【図１】
2008096049.tif 000003
【図２】
2008096049.tif 000004
【図３】
2008096049.tif 000005
【図４】
2008096049.tif 000006
【図５】
2008096049.tif 000007
【図６】
2008096049.tif 000008